(57)【要約】【課題】小型化を容易にし、コスト増を抑制する。【解決手段】画像表示装置（６）が、本体（８）の側面に開閉可能に取り付けられている。画像表示装置（６）を本体（８）に閉じたときに画像表示装置（６）により覆われる場所に、第一の操作ボタン（９）配置し、画像表示装置（６）を本体（８）に閉じたときに第一の操作ボタン（９）と対面する、画像表示装置（６）の面に第二の操作ボタン（２０）を配置する。第一の操作ボタン（９）と第二の操作ボタン（２０）は、画像表示装置（６）を本体（８）に閉じたときに、お互いが本体内に押し込まれ、画像表示装置（６）を開いた状態で突出する。これにより、画像表示装置（６）の開閉を検知する。、画像表示装置（６）を開いた状態で、第一の操作ボタン（９）または第二の操作スイッチ（２０）を操作すると、おのおの所定の処理を実行する。【選択図】図２
2015184500.tif 000002
【特許請求の範囲】
【請求項１】
本体の側面に開閉可能に取り付けられた画像表示装置と、
前記側面に配置され、前記画像表示装置を前記側面に閉じたときに前記画像表示装置により覆われる第一の操作手段と、
前記画像表示装置の画像表示領域の外周部に前記側面に閉じた状態で前期本体に設けられた前記第一の操作手段と対面するように第二の操作手段を設け、
前記画像表示装置を前記側面に閉じた状態で前記側面に設けられた前記第一の操作手段と、前記画像表示装置に設けられた前記第二の操作手段がお互いに押し込まれ、前記画像表示装置を前記側面から開いた状態で前記第一の操作手段と第二の操作手段の両方が押し込まれた状態から解放されるように設け、
前記第一の操作手段及び第二の操作手段が押し込まれた状態にあるか、前記第一の操作手段及び第二の操作手段が押し込まれた状態から解放された状態かで、前記画像表示装置の開閉を検知する、制御装置を具備することを特徴とする撮像装置。
【請求項２】
前記第一の操作手段の操作部もしくは、前記第二の操作手段の操作部の少なくとも一方は弾性部材で形成されたことを特徴とする請求項１に記載の撮像装置。
【発明の詳細な説明】
【技術分野】
【０００１】
本発明は、ビデオカメラ装置あるいはデジタルスチルカメラ装置等の撮像装置に関し、特に、開閉可能な蓋体を備えた撮像装置に関するものである。
【背景技術】
【０００２】
近年、ビデオカメラの小型化は目覚ましく、ビデオカメラ本体の大きさ（各面の投影面積）は減少する傾向にある。このため、ビデオカメラを操作するためのボタンや外部機器と接続するための接続端子の配置可能な場所も制約されてきている。
【０００３】
また撮影時や再生時にモニターの見易さのためにバックライト付きの液晶パネルなどの大型表示装置が備えられることが多い。そしてこの表示装置は回転可能に設けられ、収納時には本体を覆うように収納されているが、使用時には本体から離れるように回転し、表示画面をモニターできるようになる。よって撮影時には撮像装置の電源スイッチを入れて、表示装置を本体から離れるように回転させて表示画面をモニターしながら撮影する。そして低消費電力化のために表示装置の開閉状態を検知し、収納状態の場合は液晶パネルの表示をしないようにすることが知られている。
【０００４】
さらに、このバックライト付き大型液晶パネルは晴天時の野外などで外光が明るすぎる場合、液晶パネルの表示が見づらいために覗きタイプのファインダーも併せて備えるビデオカメラが多い。この場合も回転可能な表示装置の開閉状態を検知し、ファインダーと表示を切り換える必要がある。
【０００５】
ここで、従来のビデオカメラの一例として、表示装置の開閉検知装置について図６を用いて説明する。図６はヒンジ機構１０３によって開閉可能に設けられた表示装置１００を開いた状態を示している。この時、フレキシブ基板１０４に実装された検知スイッチ１０２はオープン状態となっている。そして表示装置１００を閉じると表示装置１００の回転と連動するように設けられてるヒンジカバー１０１が回転し、ヒンジカバー１０１に形成されたリブ１０１ａによって検知スイッチ１０２の爪部１０２ａが押し圧される。すると検知スイッチ１０２はクローズ状態となる。
【０００６】
更にフレキシブ基板１０４は図示せぬ本体部の信号処理回路基板に接続され、検知スイッチ１０２のオープン、クローズの情報が伝えられる。よって表示装置１００の開閉状態を検知できるようになっている。
【０００７】
またコンピューターやプリンタなどの外部機器とビデオカメラをケーブルで接続し、画像データ等を外部機器に簡単な操作によって転送できるビデオカメラが近年は多くなっている。そのためにビデオカメラ本体に接続端子が設けられることになるが、未使用時には埃などの進入を防ぐために接続端子は蓋等のカバーで覆われることが望ましい。
【０００８】
上記に関連して、特許文献１には、本体の側面に開閉可能に取り付けられた画像表示装置と、前記側面に配置され、前記画像表示装置を前記側面に閉じたときに前記画像表示装置により覆われる外部接続端子と、前記側面に配置され、前記画像表示装置を前記側面に閉じたときに前記画像表示装置により覆われる操作手段であって、前記画像表示装置を前記側面に閉じた状態で前記本体内に押し込まれ、前記画像表示装置を前記側面から開いた状態で前記側面から突出する操作手段と、前記操作手段が前記本体内に押し込まれた状態にあるか、前記側面から突出しているかで、前記画像表示装置の開閉を検知し、前記操作手段の操作に応じて、前記外部接続端子を介したデータ転送を有効化する制御装置とを具備した撮像装置が公開されている。
【先行技術文献】
【特許文献】
【０００９】
【特許文献１】特開２００９−３７０１８号公報
【発明の概要】
【発明が解決しようとする課題】
【００１０】
しかしながら、上記従来例では表示装置の開閉状態を検知する装置を設ける必要があり、部品点数が増えるばかりでなく、検知装置のスペースが必要となり、撮像装置の小型化に相反する要因となる上、装置がまことに複雑となり高価なものになってしまうと言う問題点があった。
【００１１】
また特許文献１の従来例では、画像表示装置の開閉を検知する手段と、外部接続端子に接続する外部機器へのデータ転送を指示する操作手段を兼ねるものであり、外部機器と接続するための外部接続端子を具備しない撮像装置に於いては対応できない。また外部接続端子を具備する撮像装置に於いても、画像表示装置を本体側面に閉じたときに画像表示装置により覆われる位置に外部接続端子を配置せねばならず、外部接続端子の配置位置が制約されてしまうばかりか、外部接続端子にケーブルを装着した状態では、画像表示装置の画像が非常に見難くなってしまう。
【００１２】
本発明では、このような不都合を解消した、小型で安価な撮像装置を提供することを目的とする。
【課題を解決するための手段】
【００１３】
本体の側面に開閉可能に取り付けられた画像表示装置と、
前記側面に配置され、前記画像表示装置を前記側面に閉じたときに前記画像表示装置により覆われる第一の操作手段と、
前記画像表示装置の画像表示領域の外周部に前記側面に閉じた状態で前期本体に設けられた前記第一の操作手段と対面するように第二の操作手段を設け、
前記画像表示装置を前記側面に閉じた状態で前期側面に設けられた前記第一の操作手段と、前記画像表示装置に設けられた前記第二の操作手段がお互いに押し込まれ、前記画像表示装置を前記側面から開いた状態で前記第一の操作手段と第二の操作手段の両方が押し込まれた状態から解放されるように設け、
前記第一の操作手段及び第二の操作手段が押し込まれた状態にあるか、押し込まれた状態から解放された状態かで、前記画像表示装置の開閉を検知する、制御装置を具備し、
更に前記前記第一の操作手段の操作部もしくは、前記第二の操作手段の操作部の少なくとも一方は弾性部材で形成されたことを特徴とする。
【発明の効果】
【００１４】
本発明によれば、本体に設けられた操作手段と画像表示装置に設けられた操作手段を用いることにより、画像表示装置の開閉を検知する手段として兼用する。これにより、装置の小型化が容易になる。追加的な部材を必要としないので、コストも低減できるか又は増加を抑制できる。
【図面の簡単な説明】
【００１５】
【図１】本発明によるビデオカメラの表示装置を収納した状態を示す後方斜視図
【図２】本発明によるビデオカメラの一使用例の撮影状態を示す後方斜視図
【図３】本発明によるビデオカメラの動作を示すブロック図
【図４】本発明によるビデオカメラの一例を示す部分断面図
【図５】本発明によるビデオカメラの動作を示すフローチャート
【図６】従来例のビデオカメラを示す部分斜視図
【発明を実施するための形態】
【００１６】
以下、本発明を実施するための形態を図面に基づいて説明する。
【００１７】
＜第１の実施形態＞
本発明による撮像装置の実施の形態を開閉可能に設けた映像表示装置を備えたビデオカメラ装置を例にとって、図１及び図２を用いて説明する。
【００１８】
図１は本発明によるビデオカメラの表示装置を収納した状態を示す後方斜視図、図２は本発明によるビデオカメラの一使用例の撮影状態を示す後方斜視図である。
【００１９】
図中、１は撮像レンズ、２は記録媒体が装着される装着部で、撮像レンズ１の横にレイアウトされ撮影時のグリップとなる、３は本体に電源を供給するためのバッテリーパックでビデオカメラ本体８の背面部に着脱可能に備えられている、４はズームレバー、５はトリガーボタンである。
【００２０】
６は映像表示装置で撮影レンズ１の側方に配置され、その側辺部６ａがビデオカメラ本体８に対して水平方向に回転可能に連結されている。７は回転式の電源スイッチで矢印Ａ方向に回転させると撮影モード、矢印Ｂ方向に回転させると再生モードとなる。
【００２１】
また映像表示装置６を開くことで露出するビデオカメラ本体８の側面８ａに第一の操作ボタン９が配置されている。そして第一の操作ボタン９は、図示しないバネにより、ビデオカメラ本体８の側面８ａから突出するように不勢されている。
【００２２】
また映像表示装置６の表示面６ｂを囲む外枠部６ｃには第二の操作ボタン２０が配置されている。そして第二の操作ボタン２０は、図示しないバネにより、映像表示装置６の外枠部６ｃから突出するように不勢されている。
【００２３】
更に、映像表示装置６を閉じた状態で第一の操作ボタン９と第二の操作ボタン２０は対面する位置関係あり、映像表示装置６を閉じると、お互いが押し込まれる。
【００２４】
図３は、本実施例の機能ブロック図を示し、図４は、第一の操作ボタン９、第二の操作ボタン２０及びその周囲の断面図を示す。画像表示装置６が収納状態、即ち、図１に示すように、画像表示装置６をカメラ本体８の側面８ａに密接させた状態にあるときには、対面状態にある第一の操作ボタン９と第二の操作ボタン２０はお互いに押し合う。図４から分かるように、第一の操作ボタン９が本体内に押し込まれると、プリント基板１２に実装されたスイッチ１３がオンになる。スイッチ１３は、プリント基板１２を介してシステム制御装置２００と接続する。スイッチ１３がオンになったことを示す信号が、プリント基板１２を介してシステム制御装置２００に送られる。これとほぼ同時に、第二の操作ボタン２０が表示装置内に押し込まれると、プリント基板２１に実装されたスイッチ２２がオンになる。スイッチ２２は、プリント基板２１を介してシステム制御装置２００と接続する。スイッチ２２がオンになったことを示す信号が、プリント基板２１を介してシステム制御装置２００に送られる。システム制御装置２００は、スイッチ１３及びスイッチ２２の両方の出力により画像表示装置６が収納されたことを検知すると、画像表示装置６の表示（又は電源）をオフにする。
【００２５】
本実施例では、第一の操作ボタン９及び第二の操作ボタン２０は弾性部材で形成されているため、画像表示装置６をカメラ本体８の側面８ａに密接させた時の衝撃を緩和させる手段として機能する。
【００２６】
撮影するときには、電源・モードスイッチ７を図１の矢印Ａ方向に回転して、撮影モードにする。そして、画像表示装置６を図１に示す収納状態から図２に示す位置に開いて、表示面６ｂをカメラ本体８の後方向に向ける。画像表示装置６を図２に示す位置に開くことにより、押し込まれていた第一の操作ボタン９及び第二の操作ボタン２０が解放されて、第一の操作ボタン９は、カメラ本体８の側面８ａから突出し、第二の操作ボタン２０は、映像表示装置６の外枠部６ｃから突出する。この状態が、スイッチ１３、２２及びプリント基板１２、２１をそれぞれ介して図示しないシステム制御装置２００に伝達される。システム制御装置２００は、画像表示装置６の表示をオンにする。
【００２７】
撮影モードでは、撮像素２０２は、撮影レンズ１の光学像を画像信号に変換して信号処理回路２０３に供給する。信号処理回路２０３は、撮像素子２０２からの画像信号を画像表示装置６の表示に適した信号形式に変換して、画像表示装置６に供給する。これにより、撮影者は、撮影レンズ１に入射する光学像、即ち、撮影画像を画像表示装置６の表示面６ｂでモニタできる。
【００２８】
撮影者は、ズームレバー４で任意の画角を選択し、トリガーボタン５で撮影の開始と停止をシステム制御装置２００に指示する。システム制御装置２００は、ズームレバー４の操作に応じて、撮影レンズ１のズームレンズを制御して、画角を変更する。
【００２９】
システム制御装置２００は、トリガーボタン５で録画開始を指示されると、信号処理回路２０３に撮像素子２０２からの画像信号の記録処理を指示する。この指示に応じて、信号処理回路２０３は、撮像素子２０２からの画像信号を記録処理して記録媒体２０４に記録する。
【００３０】
この画像表示装置６を開いた状態でビデオカメラ本体８の側面８ａに配置された第一の操作ボタン９を押圧操作すると、プリント基板１２に実装されたスイッチ１３がオンになる。スイッチ１３は、プリント基板１２を介してシステム制御装置２００と接続する。スイッチ１３がオンになったことを示す信号が、プリント基板１２を介してシステム制御装置２００に送られ、第一の所定の処理（例えば、表示装置の表示面に撮影時間を表示する）が実行される。
【００３１】
同様に映像表示装置６の外枠部６ｃに配置された第二の操作ボタン２０を押圧操作すると、プリント基板２１に実装されたスイッチ２２がオンになる。スイッチ２２は、プリント基板２１を介してシステム制御装置２００と接続する。スイッチ２２がオンになったことを示す信号が、プリント基板２１を介してシステム制御装置２００に送られ、第二の所定の処理（例えば、メニュー設定モードに切り替わる）が実行される。
【００３２】
図５は、第一の操作ボタン９の状態に応じた、画像表示装置６の表示制御と所定の処理実行の動作フローチャートを示す。
【００３３】
第一の操作ボタン９が操作されないとき（Ｓ１）、システム制御装置２００は、第二の操作ボタン２０が操作されていないかどうかを調べる（Ｓ２）。第二の操作ボタン２０が操作されていなければ（Ｓ２）、画像表示装置６の表示をオンにする（Ｓ３）。第二の操作ボタン２０が操作されていれば（Ｓ２）、第二の所定の処理（例えば、メニュー設定モードに切り替わる）が実行される（Ｓ７）。
【００３４】
第一の操作ボタン９が操作されると（Ｓ１）、システム制御装置２００は、第二の操作ボタン２０が操作されていないかどうかを調べる（Ｓ４）。第二の操作ボタン２０が操作されていれば（Ｓ４）、画像表示装置６の表示をオフにする（Ｓ５）。第二の操作ボタン２０が操作されていなければ（Ｓ４）、システム制御装置２００は任意の時間設定されたタイマーが終了しているか調べる（Ｓ８）。タイマーが終了していれば（Ｓ８）、  第一の所定の処理（例えば、表示装置の表示面に撮影時間を表示する）が実行される（Ｓ６）。タイマーが終了していない場合は（Ｓ８）、第一の操作ボタン９の操作を待つ（Ｓ１）。
【００３５】
このため、第一の操作ボタン９の操作と第二の操作ボタン２０の操作に任意のタイムラグが発生しても、画像表示装置９がオフされる。よって、画像表示装置９を収納した状態では、画像表示装置９は確実にオフされる。
【００３６】
第一の操作ボタン９の操作の有無と、第二の操作ボタン２０の操作の有無の判断の順番を逆にしても良い。結局のところ、第一の操作ボタン９と第二の操作ボタン２０が単独で操作されると、所定の処理が実行され、第一の操作ボタン９と第二の操作ボタン２０が同時に操作されると、画像表示装置６の表示をオフとし、第一の操作ボタン９と第二の操作ボタン２０のどちらも操作されていない場合に、画像表示装置６の表示をオンにする。これにより、画像表示装置６をファインダとして使用できる。
【００３７】
この時、第一の操作ボタン９と、第二の操作ボタン２０は、十分に離れているため、不用意に第一の操作ボタン９と、第二の操作ボタン２０を同時に操作してしまうことはない。すなわち、不用意に画像表示装置６の表示をオフしてしまうことはない。
【符号の説明】
【００３８】
１‥‥撮像レンズ
２‥‥装着部
３‥‥バッテリーパック
４‥‥ズームレバー
５‥‥トリガーボタン
６‥‥液晶パネル
７‥‥電源スイッチ
８‥‥ビデオカメラ本体
９‥‥第一の操作ボタン
１２‥プリント基板
１３‥スイッチ
２０‥第二の操作ボタン
２１‥プリント基板
２２‥スイッチ
【図１】
2015184500.tif 000003
【図２】
2015184500.tif 000004
【図３】
2015184500.tif 000005
【図４】
2015184500.tif 000006
【図５】
2015184500.tif 000007
【図６】
2015184500.tif 000008